(57)【要約】      （修正有）【課題】不均一ネットワークにまたがる統合されたデータ・ネットワーキングのための改善されたシステム、方法およびコンピュータ可読記憶媒体を提供する。【解決手段】異なる不均一ネットワーク１０２は、ソース・ネットワーク・ノードおよび問合せネットワーク・ノードを含む。システム１００は、ペイロードと情報カテゴリに対する統一アイデンティティ・コード（ＵＩＣ）を含むタグとを有するデータ・パケットを受信する。ペイロードのコンテンツをＵＩＣに少なくとも部分的に基づいてキャッシュ・メモリに格納する。ＵＩＣを含むクエリを問合せネットワーク・ノードから受信し、システムが、ＵＩＣに基づいてコンテンツをキャッシュ・メモリから取り出す。システムが次いで、コンテンツとＵＩＣを含むタグとを伴うペイロードを有する応答データ・パケットを生成し、問合せネットワーク・ノードに送信する。【選択図】図１
2017208797.tif 000002
【特許請求の範囲】
【請求項１】
複数の不均一ネットワークにまたがる統合されたデータ・ネットワーキングのための装置であって、前記複数の不均一ネットワークのうち異なる不均一ネットワークがソース・ネットワーク・ノードおよび問合せネットワーク・ノードを含み、前記装置は、
前記複数の不均一ネットワークにそれぞれ通信可能に接続可能な複数の通信インタフェースと、
プロセッサと、
前記プロセッサによる実行に応答して、前記装置に少なくとも、
前記ソース・ネットワーク・ノードから、ペイロードと情報カテゴリに対する統一アイデンティティ・コード（ＵＩＣ）を含むタグとを有するデータ・パケットを受信することであって、前記ＵＩＣおよび情報カテゴリはそれぞれの複数の情報カテゴリに対する複数のＵＩＣからのものである、ことと、
前記ＵＩＣに少なくとも部分的に基づいて前記ペイロードのコンテンツをキャッシュ・メモリに格納することと、
少なくとも１つの事例では、
前記ＵＩＣを含むクエリを前記問合せネットワーク・ノードから受信し、それに応答して、
前記ＵＩＣに基づいて前記コンテンツを前記キャッシュ・メモリから取り出し、
前記コンテンツと前記ＵＩＣを含むタグとを伴うペイロードを有する応答データ・パケットを生成し、前記応答データ・パケットを、前記応答データ・パケットの前記タグ内の前記ＵＩＣに少なくとも部分的に基づいて、前記応答データ・パケットを受信し特定するように構成された前記問合せネットワーク・ノードに送信することと、
を行わせる実行可能ネットワーク・ノード命令を格納したメモリと、
を備えた、装置。
【請求項２】
前記プロセッサおよび前記メモリは、前記プロセッサによる実行に応答して、前記装置にさらに少なくとも、
有効生存期間（ＴＴＬ）の経過時または経過後に、または前記ＵＩＣを含むタグを有する別のデータ・パケットの受信に応答して、前記コンテンツを前記キャッシュ・メモリから削除させる実行可能ネットワーク・ノード命令をさらに格納する、
請求項１に記載の装置。
【請求項３】
前記プロセッサおよび前記メモリは、前記プロセッサによる実行に応答して、前記装置にさらに少なくとも、
第２のクエリを前記問合せネットワーク・ノードまたは別の問合せネットワーク・ノードから受信することであって、前記第２のクエリは前記コンテンツの削除の後に受信され前記ＵＩＣを含む、ことと、
前記キャッシュ・メモリが前記コンテンツを除外すると前記ＵＩＣに基づいて判定し、それに応答して、
前記ＵＩＣを含む転送クエリを生成し、前記転送クエリを前記複数の不均一ネットワーク内の少なくとも１つの近傍ネットワーク・ノードに送信し、それにより前記情報カテゴリの情報を要求することと、
を行わせる実行可能ネットワーク・ノード命令をさらに格納する、請求項２に記載の装置。
【請求項４】
前記プロセッサおよび前記メモリは、前記プロセッサによる実行に応答して、前記装置にさらに少なくとも、
第２のクエリを前記問合せネットワーク・ノードまたは別の問合せネットワーク・ノードから受信することであって、前記第２のクエリは別の情報カテゴリに対する別のＵＩＣを含む、ことと、
前記キャッシュ・メモリが他の情報カテゴリに対するコンテンツを除外すると前記他のＵＩＣに基づいて判定し、それに応答して、
前記他のＵＩＣを含む転送クエリを生成し、前記転送クエリを前記複数の不均一ネットワーク内の少なくとも１つの近傍ネットワーク・ノードに送信し、それにより前記他の情報カテゴリの情報を要求することと、
を行わせる実行可能ネットワーク・ノード命令をさらに格納する、請求項１乃至３の何れか１項に記載の装置。
【請求項５】
前記プロセッサおよび前記メモリは、前記プロセッサによる実行に応答して、前記装置にさらに少なくとも、
第２のデータ・パケットを別のソース・ネットワーク・ノードから受信することであって、前記第２のデータ・パケットは、ペイロードおよび前記複数のＵＩＣからのＵＩＣを伴わないタグを有する、ことと、
前記タグがＵＩＣを有さないことに少なくとも部分的に基づいて、前記第２のデータ・パケットの前記ペイロードのコンテンツを前記キャッシュ・メモリに格納することなく前記第２のデータ・パケットを破棄することと、
を行わせる実行可能ネットワーク・ノード命令をさらに格納する、請求項１乃至４の何れか１項に記載の装置。
【請求項６】
前記プロセッサおよび前記メモリは、前記プロセッサによる実行に応答して、前記装置にさらに少なくとも、前記不均一ネットワークの各々に対する複数の鍵を格納させる実行可能ネットワーク・ノード命令をさらに格納し、前記データ・パケットは暗号化されたパケットであり、前記装置が前記データ・パケットを受信させられることは、前記ソース・ネットワーク・ノードの前記不均一ネットワークに関連付けられた前記複数の鍵のうち１つの鍵を用いて、前記データ・パケットを復号化させられることを含み、
前記装置が前記応答データ・パケットを生成させられることは、前記問合せネットワーク・ノードの前記不均一ネットワークに関連付けられた前記複数の鍵のうち１つの鍵を用いて前記応答データ・パケットを暗号化させられることを含む、
請求項１乃至５の何れか１項に記載の装置。
【請求項７】
前記タグはさらに、前記情報カテゴリのサブカテゴリに関連付けられた少なくとも１つの二次ＵＩＣを含み、前記少なくとも１つの二次ＵＩＣは前記複数のＵＩＣからのものである、請求項１乃至６の何れか１項に記載の装置。
【請求項８】
複数の不均一ネットワークにまたがる統合されたデータ・ネットワーキングのための方法であって、前記複数の不均一ネットワークのうち異なる不均一ネットワークがソース・ネットワーク・ノードおよび問合せネットワーク・ノードを含み、前記方法は、
前記ソース・ネットワーク・ノードから、ペイロードと情報カテゴリに対する統一アイデンティティ・コード（ＵＩＣ）を含むタグとを有するデータ・パケットを受信するステップであって、前記ＵＩＣおよび情報カテゴリはそれぞれの複数の情報カテゴリに対する複数のＵＩＣからのものである、ステップと、
前記ＵＩＣに少なくとも部分的に基づいて前記ペイロードのコンテンツをキャッシュ・メモリに格納するステップと、少なくとも１つの事例では、
前記ＵＩＣを含むクエリを前記問合せネットワーク・ノードから受信し、それに応答して、
前記ＵＩＣに基づいて前記コンテンツを前記キャッシュ・メモリから取り出し、
前記コンテンツと前記ＵＩＣを含むタグとを伴うペイロードを有する応答データ・パケットを生成し、前記応答データ・パケットを、前記応答データ・パケットの前記タグ内の前記ＵＩＣに少なくとも部分的に基づいて、前記応答データ・パケットを受信し特定するように構成された前記問合せネットワーク・ノードに送信するステップと、
を含む、方法。
【請求項９】
有効生存期間（ＴＴＬ）の経過時または経過後に、または前記ＵＩＣを含むタグを有する別のデータ・パケットの受信に応答して、前記コンテンツを前記キャッシュ・メモリから削除するステップをさらに含む、請求項８に記載の方法。
【請求項１０】
第２のクエリを前記問合せネットワーク・ノードまたは別の問合せネットワーク・ノードから受信するステップであって、前記第２のクエリは前記コンテンツの削除の後に受信され前記ＵＩＣを含む、ステップと、
前記キャッシュ・メモリが前記コンテンツを除外すると前記ＵＩＣに基づいて判定し、それに応答して、
前記ＵＩＣを含む転送クエリを生成し、前記転送クエリを前記複数の不均一ネットワーク内の少なくとも１つの近傍ネットワーク・ノードに送信し、それにより前記情報カテゴリの情報を要求する、ステップと、
をさらに含む、請求項９に記載の方法。
【請求項１１】
第２のクエリを前記問合せネットワーク・ノードまたは別の問合せネットワーク・ノードから受信するステップであって、前記第２のクエリは別の情報カテゴリに対する別のＵＩＣを含む、ステップと、
前記キャッシュ・メモリが他の情報カテゴリに対するコンテンツを除外すると前記他のＵＩＣに基づいて判定し、それに応答して、
前記他のＵＩＣを含む転送クエリを生成し、前記転送クエリを前記複数の不均一ネットワーク内の少なくとも１つの近傍ネットワーク・ノードに送信し、それにより前記他の情報カテゴリの情報を要求するステップと、
をさらに含む、請求項９または１０の何れか１項に記載の方法。
【請求項１２】
第２のデータ・パケットを別のソース・ネットワーク・ノードから受信するステップであって、前記第２のデータ・パケットは、ペイロードおよび前記複数のＵＩＣからのＵＩＣを伴わないタグを有する、ステップと、
前記タグがＵＩＣを有さないことに少なくとも部分的に基づいて、前記第２のデータ・パケットの前記ペイロードのコンテンツを前記キャッシュ・メモリに格納することなく前記第２のデータ・パケットを破棄するステップと、
をさらに含む、請求項８乃至１１の何れか１項に記載の方法。
【請求項１３】
前記不均一ネットワークの各々に対する複数の鍵を格納するステップをさらに含み、前記データ・パケットは暗号化されたパケットであり、前記データ・パケットを受信するステップは、前記ソース・ネットワーク・ノードの前記不均一ネットワークに関連付けられた前記複数の鍵のうち１つの鍵を用いて前記データ・パケットを復号化するステップを含み、
前記応答データ・パケットを生成するステップは、前記問合せネットワーク・ノードの前記不均一ネットワークに関連付けられた前記複数の鍵のうち１つの鍵を用いて前記応答データ・パケットを暗号化するステップを含む、
請求項８乃至１２の何れか１項に記載の方法。
【請求項１４】
前記タグはさらに、前記情報カテゴリのサブカテゴリに関連付けられた少なくとも１つの二次ＵＩＣを含み、前記少なくとも１つの二次ＵＩＣは前記複数のＵＩＣからのものである、請求項８乃至１３の何れか１項に記載の方法。
【請求項１５】
複数の不均一ネットワークにまたがる統合されたデータ・ネットワーキングのためのコンピュータ可読記憶媒体であって、前記複数の不均一ネットワークのうち異なる不均一ネットワークがソース・ネットワーク・ノードおよび問合せネットワーク・ノードを含み、前記コンピュータ可読記憶媒体は非一時的であり、プロセッサによる実行に応答して、装置に請求項８乃至１４の何れか１項に記載の方法を実施させるコンピュータ可読プログラム・コード部分を格納する、コンピュータ可読記憶媒体。
【発明の詳細な説明】
【技術分野】
【０００１】
本発明は一般にデータ・ネットワーキングに関し、特に、不均一ネットワークにまたがるデータ・ネットワーキングに関する。
【背景技術】
【０００２】
不均一ネットワーク間でのインターネットワーキングおよび信頼できるコンテンツ配送の提供は多数の障害のため制限されている。例えば、データ・ネットワーキングの点で、政府行政機関は一般に、ごちゃ混ぜの不均一通信システムおよびネットワークを様々な軍事サービス機関に対して利用している。これは、各軍事サービス機関が、通信システムおよびネットワーク近代化努力に対して一意な動作要件および異なるタイムラインを有しうるので結果として生ずる。例えば、米国海軍は長距離衛星通信リンクに依存し、米軍は短距離ビークル間通信システムを利用し米国空軍は主にリンク１６のような戦略的データリンクネットワークを利用する。一般に、特殊無線装置を戦闘機または装甲車両のような調達された軍事ビークルに埋め込むことができるが、殆どの場合、これらの通信装置は互いに通信しないか、または、柔軟性のない（例えば、非標準的なまたは拡張不可能な）手段により通信するかの何れかである。
【０００３】
戦略的ネットワーク間の互換性を可能とするための限定的なソリューションが存在する。特定のケースでは、人間参加型が、或るネットワークから収集された情報を別のネットワークに中継するために関与してもよい。しかし、人間参加型のソリューションは、信頼できず、エラーが発生しやすいかもしれない。他のケースでは、民間のミドルウェアが、情報の変換および転送のタスクを促進するために開発されていることがある。例えば、インターネット・プロトコル（ＩＰ）標準を用いて戦略的ネットワーク相互運用可能性を提供するための新興のソリューションがある。特に、米国空軍および海軍は近年、それらの戦略的ネットワークアーキテクチャをＩＰ互換にし、それらの間の相互運用可能性を保証できるようにするための開発努力に資金提供してきた。しかし、これらのような既存の民間のソリューションは、２つの特定のネットワークに対して設計されたソリューションが別の２つのネットワークの間の実装に対して不適切でありうるので、複数のネットワークには適用可能でないかもしれない。
【０００４】
信頼できるコンテンツ配送の点で、従来式の方法は、信頼できる情報配送、交換、および取出しのための一意な識別子としてのソースから宛先へのアドレス・セットに依存する。例えば、電子メール（ｅ−ｍａｉｌ）を送信するとき、送信者は受信者の正確な電子メール・アカウントアドレスを入力しなければならない。そうでない場合、受信者のアドレスにおけるエラーは意図しない受信者への電子メールの配送につながる可能性があり、かつ／または選択されたアドレス名が無効であるためメッセージが配送不能となる可能性がある。本例では、ターゲットの電子メール受信者は情報の宛先であり、それぞれのアドレスの正確な知識は情報配送の成功にとって極めて重要である。別の例では、特定のウェブサイトからの情報コンテンツを、対応するＩＰアドレスまたはユニバーサル・リソース・ロケータ（ＵＲＬ）識別子をＷｅｂブラウザ内で入力することによりアクセスし、取り出すことができる。ウェブサイトのアドレスエラーが、所望の情報を取り出せないことに繋がるかもしれない。本例では、ターゲットのウェブサイトは情報源であり、そのアドレスの正確な知識は当該サイトからの情報取出しの成功にとって極めて重要である。しかし、ソースから宛先への不均一ネットワークにまたがるコンテンツ配送のためのネットワークアドレス変換および／または互換なアドレス解決プロトコルは、多数の事例では制限されるかまたは存在しないかもしれない。
【発明の概要】
【発明が解決しようとする課題】
【０００５】
したがって、これらの課題の少なくとも幾つかを解決し、既存のプラクティスを改善するシステムおよび方法を有するのが望ましいであろう。
【課題を解決するための手段】
【０００６】
本発明の例示的な実装は、不均一ネットワークにまたがる統合されたデータ・ネットワーキングのための改善されたシステム、方法およびコンピュータ可読記憶媒体に関する。本発明の例示的な実装が、軍事戦略的無線ネットワークのような不均一ネットワークにまたがる情報交換を可能としてもよい。当該システムが、均一性（例えば、関与する全てのネットワークにまたがる同一の実装）、効率（要求されるネットワークリソースの観点から）、および実装の簡単さのような幾つかの有利な属性を提供してもよい。本発明は、限定ではなく、以下の例示的な実装を含む。
【０００７】
幾つかの例示的な実装では、複数の不均一ネットワークを含む不均一ネットワークにまたがる統合されたデータ・ネットワーキングのための方法が提供される。当該複数の不均一ネットワークのうち異なる不均一ネットワークがソース・ネットワーク・ノードおよび問合せネットワーク・ノードを含む。当該方法が、データ・パケットを当該ソース・ネットワーク・ノードから受信するステップであって、当該データ・パケットはペイロードと情報カテゴリに対する統一アイデンティティ・コード（ＵＩＣ）を含むタグとを有し、当該ＵＩＣおよび情報カテゴリはそれぞれの複数の情報カテゴリに対する複数のＵＩＣからのものである、ステップを含んでもよい。
【０００８】
当該方法がまた、当該ＵＩＣに少なくとも部分的に基づいて当該ペイロードのコンテンツをキャッシュ・メモリに格納するステップを含んでもよい。少なくとも１つの事例では、当該方法がまた、当該ＵＩＣを含むクエリを当該問合せネットワーク・ノードから受信するステップを含んでもよい。それに応答して、当該方法がまた、当該ＵＩＣに基づいて当該コンテンツを当該キャッシュ・メモリから取り出すステップを含んでもよい。当該方法がまた、当該コンテンツと当該ＵＩＣを含むタグとを伴うペイロードを有する応答データ・パケットを生成し、当該応答データ・パケットを、当該応答データ・パケットのタグ内のＵＩＣに少なくとも部分的に基づいて、当該応答データ・パケットを受信し特定するように構成された当該問合せネットワーク・ノードに送信するステップを含んでもよい。
【０００９】
先行するまたは任意の後続の例示的な実装の方法の幾つかの例示的な実装、または任意のそれらの組合せにおいて、当該方法はさらに、有効生存期間（ＴＴＬ）の経過時または経過後に、または当該ＵＩＣを含むタグを有する別のデータ・パケットの受信に応答して、当該コンテンツを当該キャッシュ・メモリから削除するステップを含む。
【００１０】
任意の先行するまたは任意の後続の例示的な実装の方法の幾つかの例示的な実装、または任意のそれらの組合せにおいて、当該方法はさらに、第２のクエリを当該問合せネットワーク・ノードまたは別の問合せネットワーク・ノードから受信するステップであって、当該第２のクエリが当該コンテンツの削除後に受信され当該ＵＩＣを含む、ステップと、当該キャッシュ・メモリが当該ＵＩＣに基づいて当該コンテンツを除外すると判定し、それに応答して、当該ＵＩＣを含む転送クエリを生成し、当該転送クエリを当該複数の不均一ネットワーク内の少なくとも１つの近傍ネットワーク・ノードに送信し、それにより当該情報カテゴリの情報を要求する、ステップとを含む。
【００１１】
任意の先行するまたは任意の後続の例示的な実装の方法の幾つかの例示的な実装、または任意のそれらの組合せにおいて、当該方法はさらに、第２のクエリを当該問合せネットワーク・ノードまたは別の問合せネットワーク・ノードから受信するステップであって、当該第２のクエリは別の情報カテゴリに対する別のＵＩＣを含むステップと、他のＵＩＣに基づいて当該キャッシュ・メモリが他の情報カテゴリに対するコンテンツを除外すると判定し、それに応答して、他のＵＩＣを含む転送クエリを生成し、当該転送クエリを当該複数の不均一ネットワーク内の少なくとも１つの近傍ネットワーク・ノードに送信し、それにより他の情報カテゴリの情報を要求するステップとを含む。
【００１２】
任意の先行するまたは任意の後続の例示的な実装の方法の幾つかの例示的な実装、または任意のそれらの組合せにおいて、当該方法はさらに、第２のデータ・パケットを別のソース・ネットワーク・ノードから受信するステップであって、当該第２のデータ・パケットがペイロードおよび当該複数のＵＩＣからのＵＩＣを伴わないタグとを有するステップと、当該タグがＵＩＣを有さないことに少なくとも部分的に基づいて、当該第２のデータ・パケットのペイロードのコンテンツを当該キャッシュ・メモリに格納することなく当該第２のデータ・パケットを破棄するステップとを含む。
【００１３】
任意の先行するまたは任意の後続の例示的な実装の方法の幾つかの例示的な実装、または任意のそれらの組合せにおいて、当該データ・パケットは暗号化されたパケットであり、当該データ・パケットを受信するステップは、当該ソース・ネットワーク・ノードの不均一ネットワークに関連付けられた鍵を用いて当該データ・パケットを復号化するステップを含み、当該応答データ・パケットを生成するステップは、当該問合せネットワーク・ノードの不均一ネットワークに関連付けられた鍵を用いて当該応答データ・パケットを暗号化するステップを含む。
【００１４】
任意の先行するまたは任意の後続の例示的な実装の方法の幾つかの例示的な実装、または任意のそれらの組合せにおいて、当該タグはさらに、当該情報カテゴリのサブカテゴリに関連付けられた少なくとも１つの二次ＵＩＣを含み、当該少なくとも１つの二次ＵＩＣは当該複数のＵＩＣからのものである。
【００１５】
幾つかの例示的な実装では、不均一ネットワークにまたがる統合されたデータ・ネットワーキングに対する装置を提供する。当該装置は、プロセッサと、当該プロセッサによる実行に応答して、当該装置に、任意の先行する例示的な実装の方法、または任意のそれらの組合せを少なくとも実施するように構成できるネットワーク・ノードおよびゲートウェイ・ネットワーク・ノードのような幾つかのサブシステムを実装させる実行可能ネットワーク・ノード命令を格納したメモリとを備える。
【００１６】
幾つかの例示的な実装では、不均一ネットワークにまたがる統合されたデータ・ネットワーキングに対するコンピュータ可読記憶媒体を提供する。当該コンピュータ可読記憶媒体は非一時的であり、プロセッサによる実行に応答して、装置に少なくとも任意の先行する例示的な実装の方法、または任意のそれらの組合せを実施させるコンピュータ可読プログラム・コード部分を格納する。
【００１７】
本発明のこれらのおよび他の特徴、態様、および利点は添付図面とともに以下の詳細な説明を読むことで明らかになろう。当該詳細な説明と添付図面を以下で簡単に説明する。本発明は、本開示で説明する２つの、３つの、４つのまたはそれより多くの特徴または要素の任意の組合せを、かかる特徴または要素が本明細書で説明する特定の例示的な実装で明示的に結合されるかまたは記載されるかに関わらず、含む。本開示は、本開示の文脈で特に断らない限り、本開示の任意の分離可能な特徴または要素、その態様および例示的な実装の何れかにおいて、意図した通りに参照されるべきであるように全体的に読まれること、即ち、結合可能であることを意図している。
【００１８】
したがって、本要約は、幾つかの例示的な実装を要約して本開示の幾つかの態様の基本的な理解を与えるためにのみ提供されていることは理解される。したがって、上述の例示的な実装は例にすぎず、本開示の範囲または趣旨を如何様にも狭めるとは解釈すべきではないことは理解される。他の例示的な実装、態様および利点は添付図面と関連して考慮した以下の詳細な説明から明らかになろう。当該添付図面は、例により、幾つかの説明された例示的な実装の原理を示す。
【００１９】
このように本発明の例示的な実装を一般的な用語で説明したので、次に添付図面を参照する。添付図面は必ずしも正しい縮尺で描かれていない。
【図面の簡単な説明】
【００２０】
【図１】本発明の例示的な実装に従う不均一ネットワークにまたがる統合されたデータ・ネットワーキングのためのシステムの図である。
【図２】本発明の例示的な実装に従う装置を示す図である。
【図３】本発明の例示的な実装に従う図１のシステムの具体的な図である。
【図４】本発明の例示的な実装に従う図１のシステムの具体的な図である。
【図５】本発明の例示的な実装に従う不均一ネットワークにまたがる統合されたデータ・ネットワーキングのための方法の様々な動作を示す流れ図である。
【発明を実施するための形態】
【００２１】
以下、添付図面を参照して本発明の幾つかの実装をさらに十分に説明する。図面では、本発明の全部ではなく幾つかの実装が示されている。実際、本発明の様々な実装を多数の異なる形態で具現化してもよく、本明細書で説明する実装に対する限定とは解釈すべきではない。むしろ、これらの例示的な実装は本開示が徹底的かつ十分となるように提供されており、本発明の範囲を当業者に十分に伝えるものである。例えば、特に明記しない限り、第１の、第２の等である何かへの参照は特定の順序を示唆するものとは解釈すべきではない。また、例えば、本明細書では定量的な手段、値、関係等が参照されることがある。特に明記しない限り、全てではないにしてもこれらの任意の１つまたは複数が、技術許容値等に起因するもののような、発生しうる許容可能なネットワーク・ノード変形を説明するための絶対値または近似値であってもよい。同じ参照番号は図面にわたって同じ要素を指す。
【００２２】
本発明の例示的な実装は一般にデータ・ネットワーキングに関し、特に、不均一ネットワークにまたがる統合されたデータ・ネットワーキングに関する。本明細書で使用する際、不均一ネットワークとは、異なるプロトコル、アクセス技術等を使用するネットワークを指す。特に、不均一ネットワークが複数の独立なネットワークから成る結合された相互接続ネットワークを指してもよく、各独立なネットワークが別の独立なネットワークと異なりうるプロトコルおよび実装を有してもよい。例示的な実装は主に、戦略的ネットワーク、データ・ネットワーキングおよびコンテンツ配送アプリケーションと関連して説明される。しかし、例示的な実施形態を単一の均一ネットワーク内部のコンテンツ配送のような多数の他のアプリケーションと関連して利用してもよいことは理解されるべきである。
【００２３】
図１は、本発明の例示的な実装に従う、不均一ネットワークにまたがる統合されたデータ・ネットワーキングおよびコンテンツ配送のためのシステム１００を示す。当該システムを単純に「システム」と称してもよい。当該システムを、自動的に、直接的なオペレータ制御の元で、またはその幾つかの組合せの何れかにより幾つかの異なる機能または動作を実施するように構成してもよい。この点、当該システムを、その機能または動作のうち１つまたは複数を自動的に、即ち、オペレータによる直接制御なしに、実施するように構成してもよい。さらにまたはあるいは、当該システムを、その機能または動作のうち１つまたは複数を直接的なオペレータ制御の元で実施するように構成してもよい。
【００２４】
システム１００が一般に、複数の不均一ネットワークにまたがるデータ・ネットワーキングおよびコンテンツ配送を可能としてもよい。当該システムが、当該ネットワークの異なるものに対して異なりうる基盤となるネットワークプロトコルと独立に既存の情報交換システムおよび方法に改善を提供してもよく、したがって、統合されたデータ・ネットワーキングに対する信頼性、効率および動作の容易さの点で有用でありうる。幾つかの例では、当該システムを、ネットワーク装置（例えば、ルータおよびデータサーバ）および／またはエンドユーザ装置内のミドルウェアアプリケーションとして実行してもよい。
【００２５】
システム１００が、１つまたは複数の機能または動作を実施するために互いに接続された幾つかの異なるサブシステム（それぞれ独立なシステム）の各々のうち１つまたは複数を含んでもよい。図１に示すように、例えば、当該システムが、それぞがそれぞれのネットワーク内部での通信を促進するための異なるプロトコル、アクセス技術等を使用しうる複数の不均一ネットワーク１０２を含んでもよい。適切なネットワークプロトコルの例が、ワイヤレス・フィデリティ（ＷｉＦｉ）、ブルートゥース（登録商標）、ファイバ・チャネル、送信制御プロトコル（ＴＣＰ）、インターネット・プロトコル（ＩＰ）およびユーザ・ダイアグラムプロトコル（ＵＤＰ）、オープン・システム相互接続（ＯＳＩ）、ルーティングプロトコル、リアルタイム・パブリッシュ・サブスクライブ（ＲＴＰＳ）、セキュア・シェル（ＳＳＨ）、サーバ・メッセージ・ブロック（ＳＭＢ）、ファイル転送プロトコル（ＦＴＰ）、シンプル・メール転送プロトコル（ＳＭＴＰ）、テルネット、ハイパーテキスト転送プロトコル（ＨＴＴＰ）、ポスト・オフィス・プロトコル（ＰＯＰ）、メディア転送プロトコル（ＭＴＰ）、安全なファイル転送プロトコル（ＳＦＴＰ）、トランスポート層セキュリティ（ＴＬＳ）、ネットワークプロトコルスタックＥ６、ネットワーク時間プロトコル（ＮＴＰ）、ポイント・ツー・ポイント・プロトコル（ＰＰＰ）、ネットワークニュース転送プロトコル（ＮＮＴＰ）、インターネット・メッセージ・アクセスプロトコル（ＩＭＡＰ）、またはそれらの組合せを含むインターネット・プロトコル・スイート（ＴＣＰ／ＩＰ）を含んでもよい。
【００２６】
各不均一ネットワーク１０２が、当該不均一ネットワーク内で通信するように構成された幾つかのネットワーク・ノード１０４を含んでもよい。幾つかの例では、当該不均一ネットワークの複数からのネットワーク・ノードが、それぞれの不均一ネットワーク内でかつそれらにまたがって通信するように構成されたゲートウェイ・ネットワーク・ノード１０６を形成するように統合されてもよい。ゲートウェイ・ネットワーク・ノードをしたがって、それぞれの不均一ネットワークの何れかまたは各々の一部と考えてもよい。
【００２７】
システム１００がまた、様々な不均一ネットワーク１０２にまたがる通信を統合するための参照テーブル１０８を少なくとも含んでもよい。当該参照テーブルが、各ネットワーク・ノード１０４またはそれぞれのネットワーク・ノードによる配送にコンテンツを提供するように構成された情報源１１０の内部に局所的に格納されかつ／またはそれらによりアクセス可能であってもよい。幾つかの例では、当該情報源が不均一ネットワーク内部にあってもよい。他の例では、当該情報源が、当該不均一ネットワーク内のネットワーク・ノードの外部にあってもよく、当該ノードにアクセス可能であってもよい。当該システムの一部として示すが、当該不均一ネットワークの１つまたは複数、ネットワーク・ノード、参照テーブルまたは情報源が、代わりに、当該システムから分離されているが当該システムと通信してもよい。当該サブシステムのうち１つまたは複数が、当該サブシステムのうち他のものと関係なく別個のシステムとして機能または動作してもよいことも理解されるべきである。さらに、当該システムが、図１に示したものと比べて１つまたは複数のさらなるまたは代替的なサブシステムを含んでもよいことは理解されるべきである。
【００２８】
本発明の例示的な実装に従う、複数の不均一ネットワーク１０２内にありかつ複数の不均一ネットワーク１０２にまたがるネットワーク・ノード１０４間のデータ・ネットワーキングが、当該ネットワーク・ノード間で交換しうる情報の夫々の複数のカテゴリに対する複数の統一アイデンティティ・コード（ＵＩＣ）のシステム規模の利用に基づいてもよい。幾つかの例では、当該ＵＩＣと当該情報カテゴリの間の関係を参照テーブル１０８内で取得してもよく、当該ＵＩＣを当該ネットワーク・ノードにより使用して、当該情報カテゴリに対するコンテンツを交換してもよい。例えば、ネットワーク・ノード間で交換される情報のカテゴリのためのコンテンツを有するデータ・パケットが、当該情報カテゴリに対するＵＩＣを有するタグを含んでもよい。これらのデータ・パケットを次いで、当該タグ内のＵＩＣに少なくとも部分的に基づいて当該ネットワーク・ノードにより特定してもよい。
【００２９】
ネットワーク・ノード１０４を、情報源１１０により提供されたコンテンツを含むデータのようなデータを送信するソース・ネットワーク・ノードとして機能するように構成してもよい。さらにまたはあるいは、ネットワーク・ノードを、例えばソース・ネットワーク・ノードからデータを受信する問合せネットワーク・ノードとして機能するように構成してもよい。図１は、ソース・ネットワーク・ノード１０４’および問合せネットワーク・ノード１０４’’の１例を示すが、任意の所与のネットワーク・ノードを、ソース・ネットワーク・ノードまたは問合せネットワーク・ノードの何れかまたはその両方として機能するように構成してもよいことは理解されるべきである。
【００３０】
本発明の例示的な実装に従って、不均一ネットワーク１０２、ネットワーク・ノード１０４（ソース・ネットワーク・ノード１０４’、問合せネットワーク・ノード１０４’’、、およびゲートウェイ・ネットワーク・ノード１０６を含む）、参照テーブル１０８、および／または情報源１１０およびそれらのサブコンポーネントを含むシステム１００およびそのサブシステムおよび／またはコンポーネントを様々な手段により実装してもよい。当該システム、サブシステムおよびそれらの夫々の要素を実装するための手段が、ハードウェアを、単体で、または、コンピュータ可読記憶媒体からの１つまたは複数のコンピュータ・プログラムの指示のもとで含んでもよい。
【００３１】
幾つかの例では、本明細書で図示し説明したネットワーク・ノード１０４、ゲートウェイ・ネットワーク・ノード１０６等として機能するかまたはそれらを実装するように構成された１つまたは複数の装置を提供してもよい。１つより多くの装置を含む例では、当該それぞれの装置を、幾つかの異なる方式で例えば、有線または無線ネットワーク等を介して直接または間接的に、接続してもよいか、または、当該装置が互いに通信してもよい。
【００３２】
図２は、幾つかの本発明の例示的な実装に従う装置２００を示す。一般に、本発明の例示的な実装の装置が、１つまたは複数の固定されたまたはポータブルな電子装置を含んでもよく、または、それらで具体化されてもよい。適切な電子装置の例は、スマートフォン、タブレットコンピュータ、ラップトップコンピュータ、デスクトップコンピュータ、ワークステーションコンピュータ、サーバコンピュータ等を含む。他の例では、適切な電子装置は、ルータ、ゲートウェイ、スイッチ、ブリッジ、ハブ、リピータ、および／またはそれらの組合せのような幾つかのネットワーキング装置を含む。当該装置が、例えば、メモリ２０４（例えば、記憶装置）に接続されたプロセッサ２０２（例えば、プロセッサユニット）のような幾つかのコンポーネントの各々のうち１つまたは複数を含んでもよい。
【００３３】
プロセッサ２０２は一般に、例えば、データ、コンピュータ・プログラムおよび／または他の適切な電子情報のような情報を処理できる任意のコンピュータハードウェアである。当該プロセッサは電子回路の集合から構成され、その幾つかが、集積回路または複数の相互接続された集積回路としてパッケージ化されてもよい（集積回路はしばしば共通的に「チップ」と称される）。当該プロセッサを、コンピュータ・プログラムを実行するように構成してもよく、当該コンピュータ・プログラムを、当該プロセッサ上に格納するかまたは（同一のまたは別の装置の）メモリ２０４に格納してもよい。
【００３４】
メモリ２０４は一般に、例えば、データ、コンピュータ可読プログラム・コード２０６のようなコンピュータ・プログラム、および／または他の適切な情報のような情報を一時的および／または永続的に記憶できる任意のコンピュータハードウェアである。当該メモリがまた、キャッシュ・メモリ２０８を含み、かつ／または、キャッシュ・メモリ２０８に接続されてもよい。当該メモリに加えて、プロセッサ２０２をまた、情報を表示、送信および／または送信するための１つまたは複数のインタフェースに接続してもよい。当該インタフェースが、１つまたは複数の入力インタフェース２１０（例えば、ユーザ入力インタフェース）、ディスプレイ２１２、および／または通信インタフェース２１４（例えば、通信ユニット）を含んでもよい。
【００３５】
図３は、不均一ネットワークにまたがる統合されたデータ・ネットワーキングのためのシステム１００のより具体的な例を示す。示したように、ゲートウェイ・ネットワーク・ノード１０６が一般に、不均一ネットワーク１０２のソース・ネットワーク・ノード１０４’からデータ・パケットを受信するように構成されてもよい。当該データ・パケットが、ペイロードと情報カテゴリに対するＵＩＣを含むタグとを有してもよい。当該ＵＩＣおよび情報カテゴリが、それぞれの複数の情報カテゴリに対する複数のＵＩＣからのものであってもよい。当該情報カテゴリが、当該ゲートウェイ・ネットワーク・ノードおよびソース・ネットワーク・ノードによりローカルに格納されるかまたはそれらにアクセス可能な参照テーブル１０８内で反映されてもよい。
【００３６】
ゲートウェイ・ネットワーク・ノード１０６が、当該ＵＩＣに少なくとも部分的に基づいて当該ペイロードのコンテンツをキャッシュ・メモリ２０８に格納してもよい。これにより、当該ゲートウェイ・ネットワーク・ノード自身が当該コンテンツを問合せネットワーク・ノード１０４’’に送信可能であってもよい。問合せネットワーク・ノード１０４’’が、ソース・ネットワーク・ノード１０４’と異なる不均一ネットワーク１０２内にあってもよい。少なくとも１つの事例では、当該ゲートウェイ・ネットワーク・ノードが、当該ＵＩＣを含むクエリを問合せネットワーク・ノードから受信し、それに応答して、当該ＵＩＣに基づいて当該コンテンツを当該キャッシュ・メモリから取り出してもよい。当該ゲートウェイ・ネットワーク・ノードが次いで、当該コンテンツと当該ＵＩＣを含むタグとを伴うペイロードを有する応答データ・パケットを生成し、当該応答データ・パケットを当該問合せネットワーク・ノードに送信してもよい。当該問合せネットワーク・ノードを、当該応答データ・パケットのタグ内のＵＩＣに少なくとも部分的に基づいて当該応答データ・パケットを受信し、特定するように構成してもよい。
【００３７】
幾つかの例では、ゲートウェイ・ネットワーク・ノード１０６を、続いて有効生存期間（ＴＴＬ）の経過時または経過後に、または当該ＵＩＣを含むタグを有する別のデータ・パケットの受信に応答して、コンテンツをキャッシュ・メモリ２０８から削除するように構成してもよい。このように、当該キャッシュ・メモリが、問合せネットワーク・ノード１０４’’が要求時に通信するための更新されたおよび／または現在のコンテンツを高信頼に含むことができる。
【００３８】
幾つかの例示的な実装では、ゲートウェイ・ネットワーク・ノード１０６が、当該コンテンツの削除後に、問合せネットワーク・ノード１０４’’（または別の問合せネットワーク・ノード）から第２のクエリを受信してもよく、当該ＵＩＣを含む。これらの例の少なくとも幾つかにおいて、ＴＴＬが切れたためコンテンツの削除後に当該第２のクエリが受信される事例のように、当該ゲートウェイ・ネットワーク・ノードが、キャッシュ・メモリ２０８が当該ＵＩＣに関連付けられたコンテンツを除外すると判定してもよい。それに応答して、当該ゲートウェイ・ネットワーク・ノードが、当該ＵＩＣを含む転送クエリを生成し、当該転送クエリをそれぞれの複数の不均一ネットワーク１０２内の少なくとも１つの近傍ネットワーク・ノードに送信し、それにより当該情報カテゴリの情報を要求してもよい。これらの例では、当該近傍ネットワーク・ノードが、当該ゲートウェイ・ネットワーク・ノードを含む当該不均一ネットワークの任意のネットワーク・ノードであってもよく、またはより具体的には幾つかのさらなる例において、当該近傍ネットワーク・ノードが、当該ゲートウェイ・ネットワーク・ノードに直接接続された任意のネットワーク・ノードであってもよい。
【００３９】
他の例示的な実装では、ゲートウェイ・ネットワーク・ノード１０６が、別の情報カテゴリに対する別のＵＩＣを含む問合せネットワーク・ノード１０４’’（または別の問合せネットワーク・ノード）から第２のクエリを受信してもよい。これらの例の少なくとも幾つかにおいて、当該ゲートウェイ・ネットワーク・ノードが、他のＵＩＣに基づいて、キャッシュ・メモリ２０８が他の情報カテゴリに対するコンテンツを除外すると判定してもよい。それに応答して、当該ゲートウェイ・ネットワーク・ノードが、他のＵＩＣを含む転送クエリを生成し、当該転送クエリをそれぞれの複数の不均一ネットワーク１０２内の少なくとも１つの近傍ネットワーク・ノードに送信し、それにより当該情報カテゴリの情報を要求してもよい。
【００４０】
さらに幾つかの例では、ゲートウェイ・ネットワーク・ノード１０６を、ＵＩＣを伴うタグを有するコンテンツのみを格納するように構成してもよい。例えば、当該ゲートウェイ・ネットワーク・ノードが、ペイロードと当該複数のＵＩＣからのＵＩＣを伴わないタグとを含む第２のデータ・パケットを別のソース・ネットワーク・ノード１０４’から受信してもよい。受信した際、当該ゲートウェイ・ネットワーク・ノードが、当該タグがＵＩＣを有さないことに少なくとも部分的に基づいて当該第２のデータ・パケットのペイロードのコンテンツをキャッシュ・メモリ２０８に格納することなく、当該第２のデータ・パケットを破棄すると決定してもよい。
【００４１】
以前にも示したように、複数の不均一ネットワーク１０２が、様々なネットワークプロトコルに従って機能してもよい。幾つかの例では、当該不均一ネットワークは、少なくとも１つのインターネット・プロトコル（ＩＰ）ネットワークおよび軍事アプリケーションの事例ではリンク１６戦略的データリンク（ＴＤＬ）ネットワーク、または商用アプリケーションの事例では無線セルラ・ネットワークのような非ＩＰネットワークを含む。したがって、本発明の例示的な実装を本明細書で明示的に考慮されていない様々な他の非ＩＰネットワークと関連して使用してもよいことに留意すべきである。これらの例示的な実装では、ネットワーク・ノード１０４を、ＵＩＣを含むタグが割り当てられているデータ・パケットに少なくとも部分的に基づいて、データを送信および／または受信するように構成してもよい。例えば、ソース・ネットワーク・ノード１０４’が、データ・パケットにＵＩＣを含むタグを割り当ててもよく、受信ネットワーク・ノード（例えば、問合せネットワーク・ノード１０４’’またはゲートウェイ・ネットワーク・ノード１０６）が次いで、当該タグに少なくとも基づいて当該データ・パケットを受信し特定するように構成されてもよい。
【００４２】
幾つかの例では、当該タグがさらに、当該情報カテゴリのサブカテゴリに関連付けられた少なくとも１つの二次ＵＩＣを含んでもよい。当該少なくとも１つの二次ＵＩＣがまた当該複数のＵＩＣからのものであってもよい。例えば、当該情報カテゴリが特定の都市の天気情報を含んでもよい。当該例では、天気情報を一次情報カテゴリとして指定してもよく、特定の都市の天気情報をさらに、当該一次カテゴリの二次カテゴリ（例えば、都市、データソース、更新頻度、等）を用いて指定してもよい。幾つかの例では、当該ＵＩＣが、各カテゴリまたは二次カテゴリが対応する数値を含む適切なバイナリフォーマットに符号化してもよい。例えば、天気、都市、データソース、および更新頻度のカテゴリのＵＩＣが「１２０．３００１．５．６」であってもよいかまたはそれを含んでもよい。「１２０」は天気メッセージの識別（ＩＤ）番号であり、「３００１」は特定の都市のＩＤであり、「５」はデータソースのＩＤであり、「６」は頻度更新インジケータのＩＤである。
【００４３】
幾つかの例では、複数の不均一ネットワーク１０２が非互換なネットワークレベル暗号化を有してもよい。これらの例では、データ・パケットが暗号化されたパケットであってもよく、ゲートウェイ・ネットワーク・ノード１０６を、当該データ・パケットを受信し、ソース・ネットワーク・ノード１０４’のそれぞれの不均一ネットワークに関連付けられた鍵３０２を用いて当該データ・パケットを復号化するように構成してもよい。対応するペイロードを含む応答パケットを生成する際、当該ゲートウェイ・ネットワーク・ノードが、問合せネットワーク・ノード１０４’’のそれぞれの不均一ネットワークに関連付けられた鍵を用いて当該応答データ・パケットを暗号化してもよい。したがって、当該ゲートウェイ・ネットワーク・ノードが、当該様々な不均一ネットワークの間の通信を可能とするために（必要ならば）それぞれのネットワークごとに複数の暗号化および／または復号化鍵を格納してもよい。
【００４４】
図４は、本発明の例示的な実装に従う、不均一ネットワークにまたがるコンテンツ配送のシステム１００のより具体的な例を示す。前述のように、ネットワーク・ノード１０４を、複数の不均一ネットワーク１０２にまたがる情報のプルを可能とするためにソース・ネットワーク・ノード１０４’または問合せネットワーク・ノード１０４’’の何れかまたはその両方として機能するように構成してもよい。幾つかの代替的な例では、ネットワーク・ノード１０４が、当該情報カテゴリのうち特定のものに対するコンテンツをサブスクライブしそれにより当該コンテンツを受信するように構成された（ソース・ネットワーク・ノードまたは問合せネットワーク・ノードに加えてまたはそれらの代わりに）サブスクライバ・ネットワーク・ノードとして機能し、それにより、当該不均一ネットワークにまたがる情報のプッシュを可能としてもよい。
【００４５】
これらの例では、データベース４０２を、それぞれの情報カテゴリに対するＵＩＣを格納し、当該ＵＩＣと関連して、さらにそれぞれの情報カテゴリに対するネットワークサブスクライバノードのネットワーク内アドレスを格納するように構成してもよい。示したように、例えば、当該不均一ネットワークの各々が、それぞれのデータベースを含んでもよく、幾つかの事例では、当該データベースがネットワーク・ノード（例えば、ゲートウェイ・ネットワーク・ノード１０６）内に統合されてもよい。これらの態様に関するさらなる情報は、本願と並行して出願された、発明の名称を「Ｃｏｎｔｅｎｔ  Ｄｅｌｉｖｅｒｙ  Ａｃｒｏｓｓ  Ｈｅｔｅｒｏｇｅｎｅｏｕｓ  Ｎｅｔｗｏｒｋｓ」とした、米国特許出願第＿＿＿＿＿＿＿＿＿＿＿＿＿号に見出し得る。その内容は、引用により全体として本明細書に組み込まれる。
【００４６】
図５は、本発明の例示的な実装に従う、複数の不均一ネットワークにまたがる統合されたデータ・ネットワーキングのための方法５００の様々な動作の流れ図を示す。当該複数の不均一ネットワークの異なる不均一ネットワークがソース・ネットワーク・ノードおよび問合せネットワーク・ノードを含む。ブロック５０２で示すように、当該方法が、当該ソース・ネットワーク・ノードから、ペイロードと情報カテゴリに対する統一アイデンティティ・コード（ＵＩＣ）を含むタグとを有するデータ・パケットを受信するステップを含んでもよい。当該ＵＩＣおよび情報カテゴリが、それぞれの複数の情報カテゴリに対する複数のＵＩＣからのものであってもよい。当該方法がまた、それぞれブロック５０４および５０６で示すように、当該ＵＩＣに少なくとも部分的に基づいて当該ペイロードのコンテンツをキャッシュ・メモリに格納するステップと、少なくとも１つの事例では、当該ＵＩＣを含むクエリを当該問合せネットワーク・ノードから受信するステップを含んでもよい。それに応答して、当該方法がまた、ブロック５０８に示すように、当該ＵＩＣに基づいて当該コンテンツを当該キャッシュ・メモリから取り出すステップを含んでもよい。当該方法がまた、ブロック５１０に示すように、当該コンテンツと当該ＵＩＣを含むタグとを伴うペイロードを有する応答データ・パケットを生成し、当該応答データ・パケットを、当該応答データ・パケットのタグ内のＵＩＣに少なくとも部分的に基づいて、当該応答データ・パケットを受信し特定するように構成された問合せネットワーク・ノードに送信するステップを含んでもよい。
【００４７】
次に、図２を再度参照して、本明細書で示す装置の態様をさらに説明する。この点、幾つかの例では、プロセッサ２０２が、特定の実装に応じて、幾つかのプロセッサ、マルチプロセッサコアまたは幾つかの他のタイプのプロセッサであってもよい。さらに、当該プロセッサを、メイン・プロセッサが１つまたは複数の二次プロセッサとともに単一のチップ上で提供される幾つかの適切なプロセッサシステムを用いて実装してもよい。別の例示的な例として、当該プロセッサが、同一のタイプの複数のプロセッサを含む対称マルチプロセッサシステムであってもよい。さらに別の例では、当該プロセッサを、１つまたは複数の特殊用途向け集積回路（ＡＳＩＣ）、フィールド・プログラム可能ゲート・アレイ（ＦＰＧＡ）等として具現化するか、または、当該プロセッサがそれらを含んでもよい。したがって、当該プロセッサがコンピュータ・プログラムを実行して１つまたは複数の機能を実施できてもよいが、様々な例の当該プロセッサが、コンピュータ・プログラムの支援なしに１つまたは複数の機能を実施できてもよい。
【００４８】
メモリ２０４が、揮発性および／または不揮発性メモリを含んでもよく、固定または取り外し可能であってもよい。適切なメモリの例は、ランダム・アクセス・メモリ（ＲＡＭ）、読取り専用メモリ（ＲＯＭ）、ハードドライブ、フラッシュメモリ、サムドライブ、取り外し可能コンピュータディスク、光ディスク、磁気テープまたは以上の幾つかの組合せを含む。光ディスクが、コンパクトディスク読取り専用メモリ（ＣＤ−ＲＯＭ）、コンパクトディスク読取り／書込み（ＣＤ−Ｒ／Ｗ）、ＤＶＤ等を含んでもよい。様々な事例において、当該メモリをコンピュータ可読記憶媒体と称してもよい。当該コンピュータ可読記憶媒体は、情報を格納できる非一時的装置であり、情報を或る位置から別の位置に運搬できる電子一時的信号のようなコンピュータ可読送信媒体から区別可能である。本明細書で説明するコンピュータ可読媒体を一般にコンピュータ可読記憶媒体またはコンピュータ可読送信媒体と称してもよい。
【００４９】
当該入力インタフェース２１０が有線または無線であってもよく、処理、記憶および／または表示のために情報をユーザから当該装置に受信するように構成してもよい。入力インタフェースの適切な例は、マイクロフォン、画像またはビデオ・キャプチャ装置、キーボードまたはキーパッド、ジョイスティック、タッチ・センシティブ・サーフェス（タッチ・スクリーンとは別であるかまたはタッチ・スクリーンに統合される）、生体センサ等を含む。当該入力インタフェースがさらに、プリンタ、スキャナ等のような周辺機器と通信するための１つまたは複数のインタフェースを含んでもよい。
【００５０】
当該ディスプレイ２１２を、情報をユーザに提供または表示するように構成してもよい、その適切な例は、液晶ディスプレイ（ＬＣＤ）、発光ダイオードディスプレイ（ＬＥＤ）、プラズマディスプレイパネル（ＰＤＰ）等を含む。当該通信インタフェース２１４を、例えば他の装置（複数可）、ネットワーク（複数可）等におよび／またはそれらから、情報を送信および／または受信するように構成してもよい。当該通信インタフェースを、物理（有線）および／または無線通信リンクにより情報を送信および／または受信するように構成してもよい。適切な通信インタフェースの例は、ネットワークインタフェースコントローラ（ＮＩＣ）、無線ＮＩＣ（ＷＮＩＣ）等を含む。
【００５１】
上述のように、プログラム・コード命令をメモリに格納し、プロセッサにより実行して、本明細書で説明するシステム、サブシステムおよびそのそれぞれの要素の機能を実装してもよい。理解されるように、任意の適切なプログラム・コード命令が、当該特定のマシンが本明細書で指定された機能を実装するための手段となるように、コンピュータまたは他のプログラム可能装置にコンピュータ可読記憶媒体からロードして、特定のマシンを生成してもよい。これらのプログラム・コード命令をまた、特定の方式で機能してそれにより特定のマシンまたは特定の製品を生成するようにコンピュータ、プロセッサまたは他のプログラム可能装置に指示できるコンピュータ可読記憶媒体に格納してもよい。当該コンピュータ可読記憶媒体に格納された当該命令が製品を生成してもよく、当該製品は本明細書で説明した機能を実装するための手段になる。当該プログラム・コード命令が、コンピュータ可読記憶媒体から取り出し、コンピュータ、プロセッサまたは他のプログラム可能装置にロードして、当該コンピュータ、プロセッサまたは他のプログラム可能装置上でまたはそれらにより実施すべき動作を実行するように当該コンピュータ、プロセッサまたは他のプログラム可能装置を構成してもよい。
【００５２】
当該プログラム・コード命令の取出し、ロード、および実行を、１つの命令が一度に取出し、ロード、および実行されるように逐次的に実施してもよい。幾つかの例示的な実装では、取出し、ロードおよび／または実行を、複数の命令が一緒に取出し、ロード、および／または実行されるように並列に実施してもよい。当該プログラム・コード命令の実行が、当該コンピュータ、プロセッサまたは他のプログラム可能装置により実行された命令が本明細書で説明した機能を実装するための動作を提供するように、コンピュータ実行型のプロセスを生成してもよい。
【００５３】
プロセッサによる命令の実行、またはコンピュータ可読記憶媒体内での命令の記憶は、指定された機能を実施するための動作の組合せをサポートする。このように、装置２００がプロセッサ２０２および当該プロセッサに接続されたコンピュータ可読記憶媒体またはメモリ２０４を備えてもよい。当該プロセッサは、当該メモリに格納されたコンピュータ可読プログラム・コード２０６を実行するように構成される。１つまたは複数の機能、および機能の組合せ、を、指定された機能、または特殊目的ハードウェアおよびプログラム・コード命令の組合せを実施する特殊目的ハードウェア・ベースのコンピュータシステムおよび／またはプロセッサにより実装してもよいことは理解されよう。
【００５４】
本明細書で説明した本発明の多数の修正および他の実装は、上述の説明および関連図面で提供した教示事項の利益を得た本発明が関連する当業界の技術者には想到される。したがって、本発明は開示された特定の実装に限定されず修正および他の実装は添付の請求項の範囲内に含まれるものであることは理解されるべきである。さらに、上述の説明および関連図面は要素および／または機能の特定の例示的な組合せの文脈で例示的な実装を説明するが、要素および／または機能の異なる組合せが添付の請求項の範囲から逸脱せずに代替的な実装によりを提供されてもよいことは理解されるべきである。この点、例えば、上で明示的に説明したものとは異なる要素および／または機能の組合せは添付した請求項の一部で説明しうるように考慮されている。特定の用語を本明細書では使用したが、それらは汎用的かつ記述的な意味でのみ使用され、限定の目的では使用されない。
【００５５】
さらに、本開示は、以下の項に従う実施形態を含む。
【００５６】
１．複数の不均一ネットワークにまたがる統合されたデータ・ネットワーキングのための装置であって、当該複数の不均一ネットワークの異なる不均一ネットワークがソース・ネットワーク・ノードおよび問合せネットワーク・ノードを含み、当該装置は、
当該複数の不均一ネットワークにそれぞれ通信可能に接続可能な複数の通信インタフェースと、
プロセッサと、
当該プロセッサによる実行に応答して、当該装置に少なくとも、
当該ソース・ネットワーク・ノードから、ペイロードと情報カテゴリに対する統一アイデンティティ・コード（ＵＩＣ）を含むタグとを有するデータ・パケットを受信することであって、当該ＵＩＣおよび情報カテゴリはそれぞれの複数の情報カテゴリに対する複数のＵＩＣからのものである、ことと、
当該ＵＩＣに少なくとも部分的に基づいて当該ペイロードのコンテンツをキャッシュ・メモリに格納し、少なくとも１つの事例では、
当該ＵＩＣを含むクエリを当該問合せネットワーク・ノードから受信し、それに応答して、
当該ＵＩＣに基づいて当該コンテンツを当該キャッシュ・メモリから取り出し、
当該コンテンツと当該ＵＩＣを含むタグとを伴うペイロードを有する応答データ・パケットを生成し、当該応答データ・パケットを、当該応答データ・パケットのタグ内のＵＩＣに少なくとも部分的に基づいて、当該応答データ・パケットを受信し特定するように構成された当該問合せネットワーク・ノードに送信することと
を行わせる実行可能ネットワーク・ノード命令を格納したメモリと、
を備える、装置。
【００５７】
２．当該プロセッサおよび当該メモリは、当該プロセッサによる実行に応答して、当該装置にさらに少なくとも、有効生存期間（ＴＴＬ）の経過時または経過後に、または当該ＵＩＣを含むタグを有する別のデータ・パケットの受信に応答して、当該コンテンツを当該キャッシュ・メモリから削除させる実行可能ネットワーク・ノード命令をさらに格納する、項１に記載の装置。
【００５８】
３．当該プロセッサおよび当該メモリは、当該プロセッサによる実行に応答して、当該装置にさらに少なくとも、
第２のクエリを当該問合せネットワーク・ノードまたは別の問合せネットワーク・ノードから受信することであって、当該第２のクエリは当該コンテンツの削除の後に受信され当該ＵＩＣを含む、ことと、
当該キャッシュ・メモリが当該ＵＩＣに基づいて当該コンテンツを除外すると判定し、それに応答して、
当該ＵＩＣを含む転送クエリを生成し、当該転送クエリを当該複数の不均一ネットワーク内の少なくとも１つの近傍ネットワーク・ノードに送信し、それにより当該情報カテゴリの情報を要求することと
を行わせる実行可能ネットワーク・ノード命令をさらに格納する、項２に記載の装置。
【００５９】
４．当該プロセッサおよび当該メモリは、当該プロセッサによる実行に応答して、当該装置にさらに少なくとも、
第２のクエリを当該問合せネットワーク・ノードまたは別の問合せネットワーク・ノードから受信することであって、当該第２のクエリは別の情報カテゴリに対する別のＵＩＣを含む、ことと、
他のＵＩＣに基づいて当該キャッシュ・メモリが他の情報カテゴリに対するコンテンツを除外すると判定し、それに応答して、
他のＵＩＣを含む転送クエリを生成し、当該転送クエリを当該複数の不均一ネットワーク内の少なくとも１つの近傍ネットワーク・ノードに送信し、それにより他の情報カテゴリの情報を要求することと
を行わせる実行可能ネットワーク・ノード命令をさらに格納する、項１に記載の装置。
【００６０】
５．当該プロセッサおよび当該メモリは、当該プロセッサによる実行に応答して、当該装置にさらに少なくとも、
第２のデータ・パケットを別のソース・ネットワーク・ノードから受信することであって、当該第２のデータ・パケットは、ペイロードおよび当該複数のＵＩＣからのＵＩＣを伴わないタグを有する、ことと、
当該タグがＵＩＣを有さないことに少なくとも部分的に基づいて、当該第２のデータ・パケットのペイロードのコンテンツを当該キャッシュ・メモリに格納することなく当該第２のデータ・パケットを破棄することと
を行わせる実行可能ネットワーク・ノード命令をさらに格納する、項１に記載の装置。
【００６１】
６．当該プロセッサおよび当該メモリは、当該プロセッサによる実行に応答して、当該装置にさらに少なくとも、当該不均一ネットワークの各々に対する複数の鍵を格納させる実行可能ネットワーク・ノード命令をさらに格納し、当該データ・パケットは暗号化されたパケットであり、当該装置が当該データ・パケットを受信するために使用されることは、当該ソース・ネットワーク・ノードの不均一ネットワークに関連付けられた当該複数の鍵のうち１つの鍵を用いて、当該データ・パケットを復号化するために使用されることを含み、
当該装置が当該応答データ・パケットを生成するために使用されることは、当該問合せネットワーク・ノードの不均一ネットワークに関連付けられた当該複数の鍵のうち１つの鍵を用いて当該応答データ・パケットを暗号化するために使用されることを含む、
項１に記載の装置。
【００６２】
７．当該タグはさらに、当該情報カテゴリのサブカテゴリに関連付けられた少なくとも１つの二次ＵＩＣを含み、当該少なくとも１つの二次ＵＩＣは当該複数のＵＩＣからのものである、項１に記載の装置。
【００６３】
８．複数の不均一ネットワークにまたがる統合されたデータ・ネットワーキングのための方法であって、当該複数の不均一ネットワークの異なる不均一ネットワークがソース・ネットワーク・ノードおよび問合せネットワーク・ノードを含み、当該方法は、
当該ソース・ネットワーク・ノードから、ペイロードと情報カテゴリに対する統一アイデンティティ・コード（ＵＩＣ）を含むタグとを有するデータ・パケットを受信するステップであって、当該ＵＩＣおよび情報カテゴリはそれぞれの複数の情報カテゴリに対する複数のＵＩＣからのものである、ステップと、
当該ＵＩＣに少なくとも部分的に基づいて当該ペイロードのコンテンツをキャッシュ・メモリに格納するステップと、少なくとも１つの事例では、
当該ＵＩＣを含むクエリを当該問合せネットワーク・ノードから受信し、それに応答して、
当該ＵＩＣに基づいて当該コンテンツを当該キャッシュ・メモリから取り出し、
当該コンテンツと当該ＵＩＣを含むタグとを伴うペイロードを有する応答データ・パケットを生成し、当該応答データ・パケットを、当該応答データ・パケットのタグ内のＵＩＣに少なくとも部分的に基づいて、当該応答データ・パケットを受信し特定するように構成された当該問合せネットワーク・ノードに送信するステップと、
を含む、方法。
【００６４】
９．有効生存期間（ＴＴＬ）の経過時または経過後に、または当該ＵＩＣを含むタグを有する別のデータ・パケットの受信に応答して、当該コンテンツを当該キャッシュ・メモリから削除するステップをさらに含む、項８に記載の方法。
【００６５】
１０．第２のクエリを当該問合せネットワーク・ノードまたは別の問合せネットワーク・ノードから受信するステップであって、当該第２のクエリは当該コンテンツの削除の後に受信され当該ＵＩＣを含む、ステップと、
当該キャッシュ・メモリが当該ＵＩＣに基づいて当該コンテンツを除外すると判定し、それに応答して、
当該ＵＩＣを含む転送クエリを生成し、当該転送クエリを当該複数の不均一ネットワーク内の少なくとも１つの近傍ネットワーク・ノードに送信し、それにより当該情報カテゴリの情報を要求する、ステップと、
をさらに含む、項９に記載の方法。
【００６６】
１１．第２のクエリを当該問合せネットワーク・ノードまたは別の問合せネットワーク・ノードから受信するステップであって、当該第２のクエリは別の情報カテゴリに対する別のＵＩＣを含む、ステップと、
他のＵＩＣに基づいて当該キャッシュ・メモリが他の情報カテゴリに対するコンテンツを除外すると判定し、それに応答して、
他のＵＩＣを含む転送クエリを生成し、当該転送クエリを当該複数の不均一ネットワーク内の少なくとも１つの近傍ネットワーク・ノードに送信し、それにより他の情報カテゴリの情報を要求するステップと
をさらに含む、項９に記載の方法。
【００６７】
１２．第２のデータ・パケットを別のソース・ネットワーク・ノードから受信するステップであって、当該第２のデータ・パケットは、ペイロードおよび当該複数のＵＩＣからのＵＩＣを伴わないタグを有する、ステップと、
当該タグがＵＩＣを有さないことに少なくとも部分的に基づいて、当該第２のデータ・パケットのペイロードのコンテンツを当該キャッシュ・メモリに格納することなく当該第２のデータ・パケットを破棄するステップと、
をさらに含む、項８に記載の方法。
【００６８】
１３．当該不均一ネットワークの各々に対する複数の鍵を格納するステップであって、当該データ・パケットは暗号化されたパケットであり、当該データ・パケットを受信するステップは、当該ソース・ネットワーク・ノードの不均一ネットワークに関連付けられた当該複数の鍵のうち１つの鍵を用いて当該データ・パケットを復号化するステップを含み、
当該応答データ・パケットを生成するステップは、当該問合せネットワーク・ノードの不均一ネットワークに関連付けられた当該複数の鍵のうち１つの鍵を用いて当該応答データ・パケットを暗号化するステップを含む、
項８に記載の方法。
【００６９】
１４．当該タグはさらに、当該情報カテゴリのサブカテゴリに関連付けられた少なくとも１つの二次ＵＩＣを含み、当該少なくとも１つの二次ＵＩＣは当該複数のＵＩＣからのものである、項８に記載の方法。
【００７０】
１５．複数の不均一ネットワークにまたがる統合されたデータ・ネットワーキングのためのコンピュータ可読記憶媒体であって、当該複数の不均一ネットワークの異なる不均一ネットワークがソース・ネットワーク・ノードおよび問合せネットワーク・ノードを含み、当該コンピュータ可読記憶媒体は、非一時的であり、プロセッサによる実行に応答して、装置に少なくとも、
当該ソース・ネットワーク・ノードから、ペイロードと情報カテゴリに対する統一アイデンティティ・コード（ＵＩＣ）を含むタグとを有するデータ・パケットを受信することであって、当該ＵＩＣおよび情報カテゴリはそれぞれの複数の情報カテゴリに対する複数のＵＩＣからのものである、ことと、
当該ＵＩＣに少なくとも部分的に基づいて当該ペイロードのコンテンツをキャッシュ・メモリに格納し、少なくとも１つの事例では、
当該ＵＩＣを含むクエリを当該問合せネットワーク・ノードから受信し、それに応答して、
当該ＵＩＣに基づいて当該コンテンツを当該キャッシュ・メモリから取り出し、
当該コンテンツと当該ＵＩＣを含むタグとを伴うペイロードを有する応答データ・パケットを生成し、当該応答データ・パケットを、当該応答データ・パケットのタグ内のＵＩＣに少なくとも部分的に基づいて、当該応答データ・パケットを受信し特定するように構成された当該問合せネットワーク・ノードに送信することと、
をさせるコンピュータ可読プログラム・コード部分を格納した、コンピュータ可読記憶媒体。
【００７１】
１６．当該プロセッサによる実行に応答して、当該装置に少なくとも、有効生存期間（ＴＴＬ）の経過時または経過後に、または当該ＵＩＣを含むタグを有する別のデータ・パケットの受信に応答して、当該コンテンツを当該キャッシュ・メモリから削除させるコンピュータ可読プログラム・コード部分をさらに格納した、項１５に記載のコンピュータ可読記憶媒体。
【００７２】
１７．当該プロセッサによる実行に応答して、当該装置に少なくとも、
第２のクエリを当該問合せネットワーク・ノードまたは別の問合せネットワーク・ノードから受信することであって、当該第２のクエリは当該コンテンツの削除の後であり、かつ、当該ＵＩＣを含む、ことと、
当該キャッシュ・メモリが当該ＵＩＣに基づいて当該コンテンツを除外すると判定し、それに応答して、
当該ＵＩＣを含む転送クエリを生成し、当該転送クエリを当該複数の不均一ネットワーク内の少なくとも１つの近傍ネットワーク・ノードに送信し、それにより当該情報カテゴリの情報を要求することと、
を行わせるコンピュータ可読プログラム・コード部分をさらに格納した、項１６に記載のコンピュータ可読記憶媒体。
【００７３】
１８．当該プロセッサによる実行に応答して、当該装置に少なくとも、
第２のクエリを当該問合せネットワーク・ノードまたは別の問合せネットワーク・ノードから受信することであって、当該第２のクエリは別の情報カテゴリに対する別のＵＩＣを含む、ことと、
他のＵＩＣに基づいて当該キャッシュ・メモリが他の情報カテゴリに対するコンテンツを除外すると判定し、それに応答して、
他のＵＩＣを含む転送クエリを生成し、当該転送クエリを当該複数の不均一ネットワーク内の少なくとも１つの近傍ネットワーク・ノードに送信し、それにより他の情報カテゴリの情報を要求することと、
を行わせるコンピュータ可読プログラム・コード部分をさらに格納した、項１５に記載のコンピュータ可読記憶媒体。
【００７４】
１９．当該プロセッサによる実行に応答して、当該装置に少なくとも、
第２のデータ・パケットを別のソース・ネットワーク・ノードから受信することであって、当該第２のデータ・パケットは、ペイロードおよび当該複数のＵＩＣからのＵＩＣを伴わないタグを有する、ことと、
当該タグがＵＩＣを有さないことに少なくとも部分的に基づいて、当該第２のデータ・パケットのペイロードのコンテンツを当該キャッシュ・メモリに格納することなく当該第２のデータ・パケットを破棄することと
を行わせるコンピュータ可読プログラム・コード部分をさらに格納した項１５に記載のコンピュータ可読記憶媒体。
【００７５】
２０．当該プロセッサによる実行に応答して、当該装置に少なくとも当該不均一ネットワークの各々に対する複数の鍵を格納させるコンピュータ可読プログラム・コード部分をさらに格納し、および当該データ・パケットは暗号化されたパケットであり、当該装置が当該データ・パケットを受信するために使用されることは、当該ソース・ネットワーク・ノードの不均一ネットワークに関連付けられた当該複数の鍵のうち１つの鍵を用いて、当該データ・パケットを復号化するために使用されることを含み、
当該装置が当該応答データ・パケットを生成するために使用されることは、当該問合せネットワーク・ノードの不均一ネットワークに関連付けられた当該複数の鍵のうち１つの鍵を用いて当該応答データ・パケットを暗号化するために使用されることを含む
項１５に記載のコンピュータ可読記憶媒体。
【００７６】
２１．当該タグはさらに、当該情報カテゴリのサブカテゴリに関連付けられた少なくとも１つの二次ＵＩＣを含み、当該少なくとも１つの二次ＵＩＣは当該複数のＵＩＣからのものである、項１５に記載のコンピュータ可読記憶媒体。
【符号の説明】
【００７７】
１０４  ネットワーク・ノード
１０６  ゲートウェイ・ネットワーク・ノード
１０８  参照テーブル
１１０  情報源
２０２  プロセッサ
２０４  メモリ
２０６  コンピュータ可読プログラム・コード
２０８  キャッシュ・メモリ
２１０  入力インタフェース（複数可）
２１２  ディスプレイ
２１４  通信インタフェース（複数可）
【図１】
2017208797.tif 000003
【図２】
2017208797.tif 000004
【図３】
2017208797.tif 000005
【図４】
2017208797.tif 000006
【図５】
2017208797.tif 000007
【外国語明細書】
2017208797000001.pdf